(57)【要約】【課題】  軸装色紙掛に於いて、掛け止め部が色紙の鑑賞上邪魔にならず、その価値を損ねることなく弛んだり切れたりしにくく、従来のものより耐久性があり且つ、色紙の縦使いと横使いを両用できる軸装色紙掛を提供するものである。【解決手段】  色紙の掛け止め部に、軸装中面の裂地と同じもので細い平帯状の紐を作り、これを色紙の角部に必要最小限に掛かるように設置する。（図１）  下部左右の二箇所は色紙を入れ易くするために、細い帯状紐の両端をやや内向して湾曲させて設置する。（図２・５）  又縦使い、横使いの色紙を両用するために、下段側面がわの掛け止め紐を延長して、縦使い用と横使い用に掛かる位置を定め、横掛け位置の底辺部を固定する。（図２）  こうして出来た二段差の受け部を掛け止め部として設けた軸装色紙掛である。【選択図】図１
2008142508.tif 000002
【特許請求の範囲】
【請求項１】
軸装色紙掛の掛け止め部に於いて、細い平帯状の掛け止め紐を軸装中面と同じ裂地にて形成し、色紙作品の角部に掛かる部分を必要最小限に設置し、下部左右の二箇所は、掛け止め部の内向辺を軸装中面よりやや浮かせ、外向辺を軸装中面に添わせて密着するように形成した掛け止め部を設けたことを特徴とする軸装色紙掛。
【請求項２】
軸装中面に設けた細い平帯状の掛け止め部に於いて、縦使い色紙の角部側辺部方向の掛け止め紐の長さを、横使い色紙の角部が必要最小限に掛かる所まで延長し、下部左右の二箇所は、横使い色紙の底辺が納まる位置を固定し、上段部を横使い用、下段部を縦使い用として両用を目的とする掛止め部を持つ軸装色紙掛。
【発明の詳細な説明】
【技術分野】
【０００１】  本発明は、軸装色紙掛に於いて、色紙面にかかる掛け止め部分を、従来のものより少ない必要最小限とし、且つ掛け易く、色紙の縦使い及び横使いの両用ができる掛け止め部を持つ軸装色紙掛に関するものである。
【背景技術】
【０００２】  従来、軸装色紙掛に於いて、掛け止め部は絹糸や綿糸を何本か寄り合わせたもの、ゴム紐、透明ビニール紐、テグス等の糸状のもので止められていた。
且つ、それらは色紙に深く掛かるように設置されている。（図７）【０００３】  色紙を軸装色紙掛に掛ける場合、従来は色紙を縦使いにした作品が主流であったが、近年色紙を横使いで使用する例が多くなり、別個に横使い専用の軸装色紙掛が作られ、作品の縦使い、横使いに合わせて二幅で使い分けられた。【０００４】
【特許文献１】実用昭５９−１０８４６８号公報
【発明の開示】
【発明が解決しようとする課題】
【０００５】  そのために次のような問題点があった。
（イ）糸状の掛け止め部（１３，１４）は弛み易く、色紙の位置が安定しにくかった。
（ロ）又、色紙が深く入るように設置され（１３，１４）、掛け止め部の弛みもあり、作品の鑑賞価値を損ねる傾向があった。
（ハ）掛け止め部に糸状の透明な紐が使用されているものもあるが、弛み易く違和感は免れない。
（ニ）色紙の縦使い用と横使い用によって、軸装色紙掛を別々に用意しなければならなかった。
本発明は以上のような問題点を解決した軸装色紙掛に関するものである。
【課題を解決するための手段】
【０００６】  軸装色紙掛の掛け止め部は、軸装中面と同じ裂地にて細い平帯状の掛け止め紐を形成し色紙角部の掛け止め部に掛かる部分を必要最小限に設置する。
上部左右の二箇所は、色紙を掛ける際に差し込んで上に持ち上げ、下の掛け止め部に落とすので、少しゆとりを見て持ち上げ分だけ上部方向の掛け止め紐を延長して、軸装面に密着するように直線的にピンと張る。（図１）
下部左右の二箇所は、その内側の内向辺を軸面よりやや浮かせ、外側外向辺を軸装面に添わせて設置する。（図１・２）【０００７】  色紙の縦使いと横使いを両用する軸装色紙掛は、次のように構成する。
上部左右の掛け止め部は、縦使い色紙と横使い色紙がどちらも必要最小限、掛かる位置に且つ差し込む時の持ち上げ分も考慮して、位置を定め設置する。（図４）
下部左右の二箇所は、細い平帯状の掛け止め紐により、縦使い横使いどちらの場合も色紙の角部が必要最小限掛かる位置を設定し、内側の内向辺を軸装面よりやや浮かせ外側外向辺を軸装面に添わせるようにして設置する。（図４）
更に横使い色紙の底辺部の位置に左右共固定点を設置して、二段の掛け止め部を形成する。（図４・５）
【発明の効果】
【０００８】  本発明の細い平帯状掛け止め部を設けた軸装色紙掛に色紙を掛ける際、先ず上部掛け止め部に差して軸装面上方に押し上げ、下部掛け止め部に落とし入れる。そのことによって次の効果を生じる。
（イ）下部掛け止め部は従来のものより浅く狭いが、浮き分があるので落として掛け易い。
（ロ）掛け止め紐は細い平帯状なので、糸状掛け止め紐より遥かに強度があり弛みにくい。
（ハ）色紙に掛かる部分が浅く狭いので、色紙の鑑賞に全く邪魔にならない。
（ニ）軸装中面と同じ裂地で掛け止め紐を作成することにより、色糸や透明糸を使用するよりずっと違和感がなく、耐久性に優れている。
（ホ）二段の掛け止め部を持つ軸装色紙掛は、一幅の軸装色紙掛で色紙の縦使いと横使いの両用が可能となり、従来のようにそれぞれの色紙掛を用意する必要がない。
【発明を実施するための最良の形態】
【０００９】  以下、実施例を図面に基づいて説明する
本発明に係わる実施例の一つとして（図１）に示すように、軸装色紙掛（１）に色紙（２）を掛けるために、色紙の角部四隅に掛け止め部を上部左右（３）及び下部左右（４）を下記のように設ける。【００１０】  上部掛け止め部（３）は色紙（２）を必要最小限に止める位置を設定し、且つ掛け止め紐を下部掛け止め部（４）に落とし入れる為の持ち上げ分（８）を考慮した位置に切り込み口（５）を入れ挿入して、直線状に軸装面（９）に密着するようピンと張り、ボンド等で固定する。
下部掛け止め部は（図２）に示すように、色紙（２）に必要最小限掛かる位置を設定し、掛け止め部内側内向辺（６）をわずかに浮かせ、外側外向辺（７）を軸装面に密着させて切込口（５）に挿入し、わずかに湾曲した状態で固定する。【００１１】  本発明に係わるもう一つの実施例として（図４）に示すように、軸装面に設けた細い平帯状の掛け止め部に於いて、縦使い色紙の角部と横使い色紙の角部両方が必要最小限に掛かる位置を設定し、上部掛け止め部（３）は、色紙差し込み時持ち上げ分（８）も考慮して直線状にピンと張り、切込み口より挿入して固定する。
下部掛け止め部（４）は、（図５）に示すように、縦使い色紙と横使い色紙と両方が必要最小限に掛かる位置を設定した上で、掛け止め紐の内側内向辺（６）をわずかに浮かせ外側外向辺（７）を軸装面に密着させて、切り込み口（５）より挿入して固定する。掛け止め紐の両端はやや湾曲して内向させることにより、内側を浮かせている。
更に横使い色紙（１１）の底辺部が納まる位置（１２）で固定することにより、上段部を横使い色紙に、下段部を縦使い色紙に使用して二段の掛け止め部とする。【００１２】  尚、上記掛け止め部は、裏側を薄口紙で補強した上で軸裏全体に総裏（上げ裏）を施すものである。
本発明は以上のような構成で、これを使用する時は、軸装中面に設けた上部掛け止め部に色紙を上まで挿入し、下部掛け止め部に落とし入れて使用するものであるが、一幅で縦使い、横使いの色紙を使い分けることができる。
尚、本発明について軸装色紙掛の形状を（図１・４）に示すような短いもので説明してきたが、（図８・９・１０）に示すように軸装の形状が茶掛用、床の間用、その他様々な形状に適応できることは当然である。
【図面の簡単な説明】
【００１３】
【図１】  本発明の正面図である
【図２】  本発明の（図１）い部の拡大図である
【図３】  本発明の掛け止め部（図２）Ａ〜Ａ′断面図である
【図４】  本発明の縦横両使い用の掛け止め部を表す正面図である
【図５】  （図４）に於ける（ろ部）拡大図である
【図６】  （図５）に於ける掛け止め部（図５）Ｂ〜Ｂ′断面図である
【図７】  従来の色紙掛の正面図である
【図８】  茶掛用色紙掛使用例
【図９】  床の間用色紙掛使用例
【図１０】  横長短型色紙掛使用例
【符号の説明】
【００１４】        １．    軸装色紙掛（全体）
２．    縦使い色紙
３．    上部掛け止め部
４．    下部掛け止め部
５．    切り込み口
６．    掛け止め紐内側内向辺
７．    掛け止め紐外側外向辺
８．    色紙差し込み時持ち上げ分
９．    軸装中面
１０．    裏打紙（総裏）
１１．    横使い色紙
１２．    固定位置
１３．    従来の上部掛け止め紐
１４．    従来の下部掛け止め紐
【図１】
2008142508.tif 000003
【図２】
2008142508.tif 000004
【図３】
2008142508.tif 000005
【図４】
2008142508.tif 000006
【図５】
2008142508.tif 000007
【図６】
2008142508.tif 000008
【図７】
2008142508.tif 000009
【図８】
2008142508.tif 000010
【図９】
2008142508.tif 000011
【図１０】
2008142508.tif 000012